(57)【要約】      （修正有）【課題】ほぼ正方形の床パネルが碁盤の目状に敷き並べられ、碁盤の目の各交点位置において４枚の床パネルのコーナー部が共通の支持脚で支持され、交点の位置で共通の固定部材によって前記４枚の床パネルのコーナー部を支持脚に固定するフリーアクセスフロアの床パネル支持構造を提供する。【解決手段】フランジ部３ａのフランジ受部８に支持される範囲に、支持脚４のパネル受部７の底面壁コーナー部９の上面からフランジ受部８の上面までの高さと、床パネルの底面壁３ｃの下面からフランジ部３ａの下面までの高さとの寸法差に等しい高さの突起１３がコーナー部の２辺に少なくとも１個ずつ下向きに設けられている。【選択図】図４
2005213915.tif 000002
【特許請求の範囲】
【請求項１】
ほぼ正方形の床パネルが碁盤の目状に敷き並べられ、碁盤の目の各交点位置において４枚の床パネルのコーナー部が共通の支持脚で支持され、
前記床パネルは上面板と底面板が接合されて成り、前記底面板は周辺部に平坦なフランジ部を有し、その内方に前記フランジ部に連続して略垂直下方に屈曲された周側壁及び内方へ略水平に屈曲された底面壁を有しており、
支持脚の上端に設けられたパネル受部の上面に突出して形成された平面視が十字形状のフランジ受部の上面に前記フランジ部が支持され、前記底面壁のコーナー部が前記十字形状のフランジ受部相互間の底面壁コーナー受部に支持され、
前記十字形状のフランジ受部の中心部位で４枚の床パネルのコーナー部が締結材により共通に締め付け固定されており、
前記フランジ部の前記フランジ受部に支持される範囲に、支持脚のパネル受部の底面壁コーナー受部の上面からフランジ受部の上面までの高さと、床パネルの底面壁の下面からフランジ部の下面までの高さとの寸法差に等しい高さの突起がコーナー部の２辺に少なくとも１個ずつ下向きに設けられていることを特徴とする、フリーアクセスフロアの床パネル支持構造。
【請求項２】
前記床パネルのコーナー部に設けられた突起は、フランジ部を形成する上面板と底面板とを結合するためスポット位置で下向きに膨出させたかしめ接合部として形成されたものであることを特徴とする、請求項１に記載したフリーアクセスフロアの床パネル支持構造。
【請求項３】
前記床パネルのコーナー部に設けられた突起は、フランジ部を形成する底面板のみをスポット位置で下向きに膨出させて形成されたものであることを特徴とする、請求項１に記載したフリーアクセスフロアの床パネル支持構造。
【請求項４】
前記床パネルのコーナー部に設けられた突起は、フランジ部を形成する上面板と底面板とを結合するためスポット位置で下向きに膨出させたかしめ接合部として形成されたものと、フランジ部を形成する底面板のみをスポット位置で下向きに膨出させて形成されたものとからなることを特徴とする、請求項１に記載したフリーアクセスフロアの床パネル支持構造。
【発明の詳細な説明】
【技術分野】
【０００１】
この発明は、ほぼ正方形の床パネルが碁盤の目状に敷き並べられ、碁盤の目の各交点位置において４枚の床パネルのコーナー部が共通の支持脚で支持され、交点の位置で共通の固定部材によって前記４枚の床パネルのコーナー部を支持脚に固定する構造のフリーアクセスフロアにおける、床パネル支持構造（以下、交点固定型の床パネル支持構造と云う。）に関する。
【背景技術】
【０００２】
フリーアクセスフロアを、交点固定型の床パネル支持構造で構築する技術は種々公知であり実用に供されている。例えば特許文献１に開示された交点固定型床パネルの支持構造は、平面視が略正方形で周辺部にフランジ部を有する扁平な床パネルを図７に示したような支持脚４で支持し固定する構成である。この支持脚４は、ベースプレート６ａに支持され直立する支柱６（ボルト）の上部に平面視が円形で略水平なパネル受部７を有し、これに付属するナット７ａを前記支柱６（ボルト）に対してねじ込み回すことにより、フリーアクセスフロアの床スラブ上の高さを調節することができる。前記パネル受部７の上面には、これを平面的に見ると直交する十字形状に突出した均等高さのフランジ受部８を備え、更に前記フランジ受部８、８の相互間に形成された４個の直角凹み部を底面壁コーナー受部９として備えている。フランジ受部８の中心部位には、床パネルのコーナー部に形成された締結材受部を固定する際に締結材５の頭が突出しないように沈ませる凹み部１０が形成され、凹み部１０の底面中央に締結材５をねじ込む下向きのねじ孔１１が形成されている。碁盤の目の各交点位置に前記支持脚４がベースプレート６ａを床スラブへ接着等して設置され、その上に碁盤の目状に敷き並べられた４枚の床パネルの各コーナー部の締結材受部を、支持脚４の凹み部１０の中へ１／４円弧ずつの配分で嵌め入れ、上方から締結材５をねじ孔１１へねじ込んで固定する。
特許文献２及び特許文献３に開示された交点固定型の床パネル支持構造の基本的な構成は特許文献１とほぼ同じである。
【０００３】
【特許文献１】特開平１０−１２１７０５号公報
【特許文献２】特開２００３−２２１９２１号公報
【特許文献３】特開２００３−２２１９１９号公報
【発明の開示】
【発明が解決しようとする課題】
【０００４】
フリーアクセスフロアを交点固定型の床パネル支持構造により構築する場合に、図８の左側のパネルのようにパネル受部７の底面壁コーナー受部９の上面からフランジ受部８の上面までの高さ寸法（Ｈ１）と、前記底面壁コーナー受部９に支持される床パネルの底面壁の下面から、フランジ受部８に支持されるフランジ部の下面までの高さ（Ｈ２）に差異があると、その差異が僅かであっても、締結材５による固定力は低い床パネルに十分に働かず均等に固定できない。
【０００５】
上記した特許文献１で開示された床パネル支持構造は、図８の右側のパネルのようにパネル受部の底面壁コーナー受部の上面からフランジ受部の上面までの高さと底面壁コーナー受部の支持される床パネルの底面壁の下面からフランジ受部に支持されるフランジ部の下面までの高さを同一寸法に形成しているので、床パネルのフランジ部は締結材によってフランジ受部に強固に固定される。
しかし、床パネルは現場の設計条件に応じてその厚みを変える場合があり、このような場合、個別にフランジ受部の高さを変えた支持脚を設計製作することは、支持脚の使い分けが必要となり、また、コスト面でも得策ではないという問題が生じる。
【０００６】
特許文献２及び特許文献３には支持脚のフランジ受部に緩衝材が設けられており、該緩衝材を使用することにより、前記高さ寸法の差異に対応することも考えられるが、それらは基本的には床パネルの固定部材の緩みを防止するものであって、上述した問題点を解決する手段とまではいかない。
【０００７】
本発明の目的は、パネル受部の底面壁コーナー受部の上面からフランジ受部の上面までの高さと、底面壁コーナー受部に支持される床パネルの底面壁の下面からフランジ受部に支持されるフランジ部の下面までの高さ寸法に差があっても同じ支持脚を使用して、且つ床パネルの四隅のコーナー部を均等な強さに固定することが可能なフリーアクセスフロアの床パネル支持構造を提供することである。
【課題を解決するための手段】
【０００８】
上述した従来技術の課題を解決するための手段として、請求項１に記載した発明に係るフリーアクセスフロアの床パネルの支持構造は、
ほぼ正方形の床パネル１が碁盤の目状に敷き並べられ、碁盤の目の各交点位置において４枚の床パネル１のコーナー部３ｄが共通の支持脚４で支持され、
前記床パネル１は上面板２と底面板３が接合されて成り、前記底面板３は周辺部に平坦なフランジ部３ａを有し、その内方に前記フランジ部３ａに連続して略垂直下方に屈曲された周側壁３ｂ及び内方へ略水平に屈曲された底面壁３ｃを有しており、
支持脚４の上端に設けられたパネル受部７の上面に突出して形成された平面視が十字形状のフランジ受部８の上面に前記フランジ部３ａが支持され、前記底面壁３ｃのコーナー部３ｄが前記十字形状のフランジ受部８相互間の底面壁コーナー受部９に支持され、
前記十字形状のフランジ受部８の中心部位で４枚の床パネル１のコーナー部３ｄが締結材５により共通に締め付け固定されており、
前記フランジ部３ａの前記フランジ受部８に支持される範囲に、支持脚４のパネル受部７の底面壁コーナー部９の上面からフランジ受部８の上面までの高さと、床パネル１の底面壁３ｃの下面からフランジ部３ａの下面までの高さとの寸法差に等しい高さの突起１２、１３がコーナー部３ｄの２辺に少なくとも１個ずつ下向きに設けられていることを特徴とする。
【０００９】
請求項２記載の発明は、請求項１に記載したフリーアクセスフロアの床パネルの支持構造において、
前記床パネル１のコーナー部３ｄに設けられた突起１２は、フランジ部３ａを形成する上面板２と底面板３とを結合するためスポット位置で下向きに膨出させたかしめ接合部として形成されたものであることを特徴とする。
【００１０】
請求項３記載の発明は、請求項１に記載したフリーアクセスフロアの床パネルの支持構造において
前記床パネル１のコーナー部３ｄに設けられた突起１３は、フランジ部３ａを形成する底面板３のみをスポット位置で下向きに膨出させて形成されたものであることを特徴とする。
【００１１】
請求項４記載の発明は、請求項１に記載したフリーアクセスフロアの床パネルの支持構造において、
前記床パネル１のコーナー部３ｄに設けられた突起１２、１３は、フランジ部３ａを形成する上面板２と底面板３とを結合するためスポット位置で下向きに膨出させたかしめ接合部として形成されたものと、フランジ部３ａを形成する底面板３のみをスポット位置で下向きに膨出させて形成されたものとからなることを特徴とする。
【発明の効果】
【００１２】
本発明に係るフリーアクセスフロアの床パネル支持構造は、床パネルのフランジ部のうち、支持脚のパネル受部のフランジ受部に支持される範囲（コーナー部）に、同パネル受部の底面壁コーナー受部の上面からフランジ受部の上面までの高さと、前記底面壁コーナー受部に支持される床パネルの底面壁の下面からフランジ受部に支持されるフランジ部の下面までの高さ寸法との差に等しい高さの突起を各コーナー部の２辺に少なくとも１個ずつ設けているので、該突起の高さで前記寸法差を完全に解消でき、床パネルのコーナー部を締結材により均等な強さに固定することができるので、前記高さ寸法の差があっても同一の支持脚が使用でき支持脚の使い分けが不要であり、また、コスト面でも有利である。
【発明を実施するための最良の形態】
【００１３】
ほぼ正方形の床パネルが碁盤の目状に敷き並べられ、碁盤の目の各交点位置において４枚の床パネルのコーナー部が共通の支持脚で支持される。床パネルは上面板と底面板が接合されて成り、前記底面板は周辺部に平坦なフランジ部を有し、その内方にフランジ部に連続して略垂直下方に屈曲された周側壁及び内方へ略水平に屈曲された底面壁を有している。支持脚の上端に設けられたパネル受部の上面に突出して形成された平面視が十字形状のフランジ受部の上面にフランジ部が支持され、底面壁のコーナー部が十字形状のフランジ受部相互間の底面壁コーナー受部に支持される。十字形状のフランジ受部の中心部位で４枚の床パネルのコーナー部が締結材により共通に締め付け固定される。床パネルのうちフランジ部のフランジ受部に支持される範囲に、支持脚のパネル受部の底面壁コーナー受部からフランジ受部の上面までの高さと、床パネルの底面壁の下面からフランジ部の下面までの高さとの寸法差に等しい高さの突起が、コーナー部の２辺に少なくとも１個ずつ下向きに設けられている。
【実施例１】
【００１４】
図１は、平面視が同大の正方形をなす床パネル１が建物のコンクリート床の上に碁盤の目状に敷き並べられ、碁盤の目の各交点の位置で、４枚の床パネル１のそれぞれのコーナー部３ｄが共通な一つの支持脚４で支持されたフリーアクセスフロアの実施状態を示している。
前記床パネル１の周辺の主要部以外の表記を省略した正面図と側断面図を図２Ａ、Ｂに示し、四隅（コーナー部３ｄ）の拡大図を図３Ａ、Ｂに示した。この床パネル１は、平坦な鋼板である上面板２と、外周形状が前記上面板２と同一の底面板３とが多数の大径のかしめ接合５及び小径のかしめ接合１２により一体的に結合されて成る。前記底面板３は、図３Ａ、Ｂに詳記したように周辺部に前記上面板２の裏面に当接する水平で平坦なフランジ部３ａを有している。前記フランジ部３ａの内方にはフランジ部３ａに連続して略垂直下方に屈曲された周側壁３ｂを有し、更に前記周側壁３ｂから内方へ略水平に屈曲された底面壁３ｃを有している。
【００１５】
床パネル１の前記フランジ部３ａのうち、四隅のコーナー部３ｄの範囲は、図４に拡大して示したように、図７に例示した支持脚４のパネル受部７の上面に突出して形成された平面視が十字形状のフランジ受部８の幅寸法を２等分した幅寸でその上に載り、且つ周側壁３ｂが同フランジ受部８の側面にぴったり接した形で支持されることが必須条件であり、それ故にコーナー部３ｄの範囲ではフランジ部３ａの幅寸が狭く限定されるので、その幅寸に適合する程度に小径のかしめ接合１２が実施される。しかし、コーナー部３ｄの範囲外では前記の制限を受けないので、フランジ部３ａの幅寸を可能な限り大きく設計して、強度が大きい大径のかしめ接合５が実施される。
【００１６】
また床パネル１の各隅角部には、平坦な鋼板である上面板２の隅角部を、平坦面から若干の段差で垂れ下がらせた形状の締結材受部２ａが平面視で１／４円弧形状に形成されている（図３Ａ参照）。
【００１７】
床パネル１の前記フランジ部３ａのうち、前記フランジ受部８に支持される範囲であるコーナー部３ｄの２辺には、図４で示したように、支持脚４のパネル受部７の底面壁コーナー受部９の上面からフランジ受部８の上面までの高さＨ１と、床パネル１の底面壁３ｃの下面からフランジ部３ａの下面までの高さＨ２との寸法差（Ｈ２−Ｈ１）に等しい高さｈの突起１３が各辺に少なくとも１個ずつ下向きに設けられている（図３Ａ参照）。図５Ａは、フランジ部３ａを形成する底面板３のみをスポット的に下向きに膨出させて高さｈに形成した突起１３をできるだけ締結材受部２ａ寄りの位置に形成した実施例を示している（請求項３記載の発明）。図５Ｂは小径のかしめ接合１２を高さｈに形成して突起を兼ねる構成とした実施例を示している（請求項２記載の発明）。なお、図示は省略したが、底面板３のみをスポット的に下向きに膨出させた突起１３と、突起を兼ねて形成されたかしめ接合１２とをそれぞれ寸法差ｈの高さに形成してコーナー部３ｄのフランジ部３ａに設けた構成で実施してもよい（請求項４記載の発明）。
【００１８】
前記大径のかしめ接合５及び小径のかしめ接合１２の技術については、特に詳述していないが、例えば実用新案登録第３０４８２８１号公報、実公平７−５６４３２号公報に開示されたように上面板２と底面板３をスポット的に押し抜き、且つ圧縮により横方向へ拡大（拡径）させて結合するワンショット技術を好適に採用することができる。
【００１９】
図６は床パネル１のコーナー部３ｄを支持脚４で支持した設置状態を示している。床パネル１を前記支持脚４で支持する構成は、上記特開平１０−１２１７０５号公報で既に開示され背景技術の欄で説明した。つまり、前記支持脚４の上端に設けられた略水平なパネル受部７の上面に突出して形成された平面視が十字形状のフランジ受部８の上面に前記床パネル１のフランジ部３ａの下面が支持され、前記底面壁３ｃのコーナー部３ｄが前記十字形状のフランジ受部８相互間の底面壁コーナー受部９に支持され、支持脚４の凹み部１０の中へ嵌め入れた前記コーナー部３ｄの締結材受部２ａに、上方から締結材５を支持脚のねじ孔１１へねじ込んで固定し支持する。
このとき前記フランジ受部８の上面までの高さであるＨ１と、床パネル１の底面壁３ｃの下面からフランジ部３ａの下面までの高さであるＨ２の寸法の差に等しい高さｈの突起１３（１２）がコーナー部３ｄのフランジ部３ａの２辺に少なくとも１個ずつ下向きに設けられているので、支持脚４のパネル受部７の底面壁コーナー受部９の上面からフランジ受部８の上面までの高さと、底面壁コーナー受部９に支持される床パネル１の底面壁３ｃの下面までの高さ寸法差ｈ（Ｈ２−Ｈ１）は完全に解消され、締結材５をねじ孔１１へねじ込んだ締結力で床パネル１のコーナー部３ｄ、特には隅角部の締結材受部２ａを４枚の床パネル１…について各々を均等な強さに固定することができる。
【図面の簡単な説明】
【００２０】
【図１】フリーアクセスフロアを構築する床パネルを概念的に示した平面説明図である。
【図２】Ａは床パネルの正面図、ＢはI−I線矢視の側断面図である。
【図３】Ａは図２の四隅の一つを拡大して示した正面図、ＢはII−II線矢視の側断面図である。
【図４】一平面上に支持された床パネルの支持構造を拡大して示した断面図である。
【図５】Ａは図３ＡのIII−III線矢視の拡大断面図、Ｂはかしめ接合を突起として形成した実施例を示した拡大断面図である。
【図６】交点固定型パネル支持構造の左半分を断面にして示す立面図である。
【図７】交点固定型の支持脚を示した斜視図である。
【図８】高さ寸法の異なる床パネルを共通の支持脚で支持した状態を示す立断面図である。
【符号の説明】
【００２１】
１    床パネル
２    上面板
３    底面板
３ａ  フランジ部
３ｂ  周側壁
３ｃ  底面壁
３ｄ  コーナー部
４    支持脚
５    締結材
７    パネル受部
８    フランジ受部
９    底面壁コーナー受部
１２  かしめ接合（突起）
１３  突起
【図１】
2005213915.tif 000003
【図２】
2005213915.tif 000004
【図３】
2005213915.tif 000005
【図４】
2005213915.tif 000006
【図５】
2005213915.tif 000007
【図６】
2005213915.tif 000008
【図７】
2005213915.tif 000009
【図８】
2005213915.tif 000010